(57)【要約】【課題】全かつらを装着する際に下地として装着するかつら下地ネットであって、ヘアピン等の係止具を一切使用しなくても簡便に装着でき、全かつらを被った際に異物感が少なくかつらのズレも起こしにくい、かつら下地ネットを提供する。【解決手段】伸縮性を有する帯状部材で形成される環状の第一縁部２及び第二縁部３と、伸縮性を有するネット構造の被覆部４とを繋ぎ合わせて円筒状に形成したかつら下地ネットであって、第一縁部２は帯状部材の内側表面に滑り止め加工５が施され、第二縁部３は帯状部材の外側表面に滑り止め加工５を施す。装着時には、第一縁部２側から頭部に被り、頸部から引き上げて頭髪の生え際に第一縁部２を固定し、被覆部４を頭上に引き伸ばして捻った上で、頭上に余った被覆部４を裏返しに頭部に被せ、第二縁部３で生え際付近に固定することで、頭部を被覆部４で二重に覆う。【選択図】図１
0003150492.tif 000002
【実用新案登録請求の範囲】
【請求項１】
伸縮性を有する帯状部材で形成される環状の縁部と、伸縮性を有するネット構造の被覆部とを繋ぎ合わせて円筒状に形成され、頭髪全体を包み込むように頭部に装着するかつら下地ネットにおいて、前記環状の縁部が被覆部の両端に設けられていることを特徴とするかつら下地ネット。
【請求項２】
前記環状の縁部の一方は、帯状部材の内側表面に滑り止め加工が施され、もう一方は帯状部材の外側表面に同様の滑り止め加工が施されて成ることを特徴とする、請求項１に記載のかつら下地ネット。
【考案の詳細な説明】
【技術分野】
【０００１】
本考案は、かつらを着用するに際して、その下地として頭部に被着するかつら下地ネットに関する。
【背景技術】
【０００２】
いわゆるファッション用のかつらには、薄毛部分を補ったり自毛のボリュームアップを目的とする「部分かつら」と、頭部を全面的に覆って自毛を隠し、異なる髪形や髪色に変えてしまうことを目的とする「全かつら」がある。全かつらは、これまで主に演劇用や接客業などで用いられ、一般には部分かつらほど普及していなかった。しかし、近年では、容貌の大幅なイメージチェンジの目的で一般消費者が全かつらを気軽に使用する場合も多く、また、いわゆる「コスプレ」などを楽しむ若年層を中心に、趣味的な全かつらの使用機会が増えている。
【０００３】
全かつらを着用する際に、かつらの装着感を向上させ、装着時のかつらのズレを防ぐために、下地として装着するかつら下地ネットが用いられている。このかつら下地ネットはゴムなどの弾力性を有する線材を編み込んだ目の粗いネットを円筒状に成形したもので、頭部に装着して内部に頭髪をまとめて押さえ、その上からかつらを被ることにより、装着時のかつらのズレを防止するだけでなく、頭皮への刺激や蒸れなどを和らげる効果がある。
【０００４】
このようなかつら下地ネットの構造としては、伸縮自在なネットを円筒状に成形した被覆部の一端に、やはり芯部にゴムなどの線材を有する糸で帯状に織った環状の縁部を設けたものが知られている。（特許文献１及び特許文献２参照）
【０００５】
【特許文献１】特開２００２−３７１４１９号公報
【特許文献２】特開２００５−１９４６５３号公報
【０００６】
これら既知のかつら下地ネットの装着方法は、まず、装着前にネット状の被覆部を縁部までたくし込んで全体を円環状にまとめたまま装着者の頭部を通し、一旦頸部まで降ろした上で頭髪を円環の外に出し、次に頭髪の生え際まで円環を摺り上げたところで縁部を頭部に密着固定させ、その後、被覆部を頭部上方まで伸張させた上で、被覆部の余った部分を畳み込むなどして頭部を覆っている被覆部の適当な部位に密着させて、ヘアピン等により係止するものであった。
【考案の開示】
【考案が解決しようとする課題】
【０００７】
しかし、このようなかつら下地ネットは、被覆部の余った部分を畳み込んで頭部のどこかに係止する必要があるため、頭部を覆う被覆部の厚みが不均等とならざるを得ない。また、装着にはヘアピン等を必要とし、装着自体に手間が掛かるものであった。そして、その上にかつらを装着した際に装着者に異物感を感じさせる場合があるだけでなく、かつらの使用中に係止箇所が緩んで畳み込んだ被覆部がほどけ、ひいてはかつら自体がズレたりする場合があるなど、装着者にとっての負担や不都合があった。
【０００８】
また、前述のような従来のかつら下地ネットを装着する方法は、自らの後頭部付近を手探りで行うため、かつらの使用に慣れた者であればともかく、不慣れな者にとっては少なからず困難を伴うものであった。
【０００９】
本考案は、上記事情に鑑みてなされたもので、ヘアピンなどの係止具を用いることなく手早く簡便に装着でき、しかもかつらがズレるおそれや異物感の小さい、装着者の負担や不都合の少ないかつら下地ネットを提供することを目的としている。
【課題を解決するための手段】
【００１０】
上記目的を達成するために、本考案に係るかつら下地ネットは、伸縮自在な帯状部材で形成される環状の縁部が被覆部の両端に設けられていることを特徴とする。
【００１１】
また、前記環状の縁部の一方は、帯状部材の内側に滑り止め加工が施され、環状の縁部のもう一方は帯状部材の外側表面に同様のすべり止め加工が施されていることが望ましい。
【考案の効果】
【００１２】
まず、請求項１に記載の考案に係るかつら下地ネットによれば、伸縮自在な帯状部材で形成される環状の縁部が円筒状の被覆部の両端に設けられているため、使用者はいずれの側から頭部を通しても良い。
【００１３】
使用者は、いずれかの縁部に本体全体をたくし込んで全体を円環状にまとめたまま装着者の頭部を通し、一旦頸部まで降ろした上で頭髪を円環の外に出し、次に頭髪の生え際まで円環を摺り上げたところで縁部を頭部に密着固定させ、その後、被覆部を頭部上方まで伸張させるところまでは従来のかつら下地ネットの装着方法と同様である。
【００１４】
その後、使用者は、伸張させた被覆部を頭頂部付近を中心に捻り、余った被覆部を裏返す形で既に被覆部で覆われた頭部に再度被せることで装着を完了する。この際、余った被覆部の端部にも伸縮自在の縁部が設けられているため、当該縁部をもう一方の縁部の上に重ねて被せるだけで被覆部は頭部に係止される。なお、伸張させた被覆部を頭頂部付近を中心に捻る際の捻りの度合いは任意であるが、半回転（１８０度）程度捻ってから頭部に被せることが望ましい。
【００１５】
以上の通り、本考案のかつら下地ネットによれば、使用者はヘアピン等の係止具を一切用いることなく、単に「被せて、伸ばして、捻って、もう一度被せる」という一連の簡単な動作だけで簡便に装着を完了できるだけでなく、頭頂部より上の余った被覆部を畳み込む必要がないため、使用者はかつら装着時に頭部に異物感を感じることも少ない。
【００１６】
さらに、装着状態では、被覆部が頭部に二重に被さる形になり、被覆部の両端が縁部の緊張力によってしっかりと頭部に係止されるため、係止箇所が緩んで被覆部がほどけるおそれも少なく、ひいては装着中のかつらのズレを生じるおそれも減少させることができる。
【００１７】
また、請求項２に記載の考案に係るかつら下地ネットによれば、被覆部の両端の縁部の一方を、その帯状部材の滑り止め加工が施された面が装着者にとって内側になるように頭部を通し、一旦頸部まで降ろした上で頭髪を円環の外に出し、次に頭髪の生え際まで円環を摺り上げたところで縁部を頭部に密着固定させ、その後、被覆部を頭部上方まで伸張させれば、その先端となるもう一方の縁部の帯状部材には、装着者にとって外側の面に滑り止め加工が施されていることになる。
【００１８】
その後、使用者が、伸張させた被覆部を頭頂部付近を中心に捻り、余った被覆部を裏返す形で既に被覆部で覆われた頭部に被せると、前記もう一方の縁部の帯状部材の滑り止め加工は装着者にとって内側に遷移しているため、当該すべり止め加工部分をそのまま頭部に当接させて係止することができる。これにより、二重の被覆部がいずれもすべり止め加工を施された帯状部材で、より確実に頭部に係止されて緩みを防止する。
【００１９】
以上の通り、本考案に係るかつら下地ネットは、かつらの使用に不慣れな使用者、例えば若年層の女性でも、簡便かつ快適、安心にかつらを使用できるという効果を奏するものである。
【考案を実施するための最良の形態】
【００２０】
以下、本考案に係るかつら下地ネットの実施形態について図面を参照して説明する。図１は、本実施形態に係るかつら下地ネットを示す図であり、図２は、該かつら下地ネットの装着方法を順を追って説明する参考図である。
【００２１】
図１に示すように、かつら下地ネット１は、帯状部材で形成される環状の第一縁部２及び第二縁部３と、ネット構造の被覆部４から構成されている。
【００２２】
第一縁部２及び第二縁部３は、線状のゴム材を繊維に機械的に編み込んで帯状に成形した部材により環状構造を形成したもので、その帯の長手方向へ伸縮可能としている。被覆部４は、線状のゴム材の芯を繊維を織って被覆した糸を用いて格子状のネット構造に機械的に編み込んで円筒状構造を形成したもので、面方向に伸縮可能としている。そして、被覆部４は、円筒状構造の両端においてそれぞれ第一縁部２及び第二縁部３に繋ぎ合わされて、全体として開放された断面円形の両端部を有する円筒構造を成す。
【００２３】
また、第一縁部２を構成する帯状部材には全体として円筒形状を成すかつら下地ネットの内側方向の面に、第二縁部３を構成する帯状部材には同外側方向の面に、それぞれ滑り止め加工５が施されている。該滑り止め加工は、帯状部材表面にゴム材を薄くコーティングすることにより実現できるが、頭髪の生え際に密着して滑り止め効果を発揮でき、かつ、皮膚に接しても不快感の少ない加工であればこれに限らない。
【００２４】
被覆部４は、通気性を考慮して頭髪がはみ出さない程度の網の目とすることが望ましく、その上にかつらを被ることが前提となるため、色彩は特に限定されないが、かつらの基材の透過性や基材に植毛された毛髪の密度により下地ネットが透けて見える可能性がある場合は、かつらの毛色に近い色彩とすることが望ましい。
【００２５】
なお、第一縁部２及び第二縁部３並びに被覆部４のゴム材以外の繊維素材としては、その上からかつらを被ることにより蒸れやすい使用状況となることを考慮すれば、例えばポリエステル等の合成繊維が望ましいが、それに限定されるものではない。
【００２６】
被覆部４は、使用する繊維とネット構造のみで十分な伸縮性を確保できるのであれば、必ずしも芯材としてゴム材を用いなくても良い。また、そのネット構造は、十分な通気性を確保しつつも、比較的短い頭髪がはみ出しにくい程度の目の粗さとすることが望ましく、ネットの網目の形状も「格子状」に限定されるものではなく、「亀甲状」その他の高い伸縮性を確保できるものであれば良い。
【００２７】
図２では、本考案に係るかつら下地ネットの装着方法を、順を追って説明している。
【００２８】
まず(Ａ)に示すように、かつら下地ネットの両端部のうち第一縁部２を下側として残余の部分をたくしこんで全体として円環状にする。
【００２９】
次に（Ｂ）に示すように、該円環状にしたかつら下地ネットに頭部を通して一旦頸部まで引き降ろす。
【００３０】
次いで、（Ｃ）に示すように、かつら下地ネットを頭髪の生え際まで引き上げて、第一縁部２の内面（滑り止め加工が施された面）を生え際に密着させて固定する。
【００３１】
続いて、（Ｄ）に示すように、第二縁部３を両手で把持して、被覆部４を頭上に十分に伸び切るまで引き伸ばす。
【００３２】
さらに、（Ｅ）に示すように、第二縁部３を頭頂部を中心に頭上で１８０度程度回転させて被覆部４を捻る。
【００３３】
最後に、（Ｆ）に示すように、被覆部４を捻ったまま頭部全体に被せつつ、第二縁部３を第一縁部２付近まで引き下げて頭部に密着させることにより装着を完了する。この際、第二縁部３の帯状部材の滑り止め加工が施された面が内側に遷移しているため、そのまま頭部に密着して固定される。
【００３４】
以上により、本考案に係るかつら下地ネットは、使用者が「被せて、伸ばして、捻って、もう一度被せる」という一連の動作により、ヘアピン等の係止具を一切用いることなく、他人の助けを借りずに極めて容易に装着することができ、しかも装着後は、被覆部が二重に頭部を均一に覆うことにより、かつらを被った場合にも異物感が少なく、かつら自体のズレも起こりにくいという優れた効果を発揮するのである。
【図面の簡単な説明】
【００３５】
【図１】本実施形態に係るかつら下地ネットを示す図である。
【図２】本実施形態に係るかつら下地ネットの装着方法を示す図である。
【符号の説明】
【００３６】
１  かつら下地ネット
２  第一縁部
３  第二縁部
４  被覆部（ネット）
５  滑り止め加工
【図１】
0003150492.tif 000003
【図２】
0003150492.tif 000004